(57)【特許請求の範囲】
【請求項１】
その光軸方向に沿って物体端から結像端まで順に、
負の屈折力を有する第一レンズと、
正の屈折力を有する第二レンズと、
絞りと、
正の屈折力を有する第三レンズと、
正の屈折力を有する第四レンズと、
負の屈折力を有する第五レンズとを順に備える超小型広角レンズであって、
前記第一レンズの物体側表面は凸面であり、且つ結像側表面は凹面であり、前記第二レンズの物体側表面は凹面であり、且つ結像側表面は凸面であり、前記第三レンズの物体側表面は平面であり、且つ結像側表面は凸面であり、第四レンズの物体側表面及び結像側表面は共に凸面であり、第五レンズの物体側表面は凹面であり、且つ結像側表面は凸面であり、また、前記超小型広角レンズは、以下の材料の条件(１)〜(４)の内の少なくとも何れか１つを満たし、
（１）０＜Ｖ１−Ｖ２＜２０、
（２）１．７８＜Ｉ５＜２．２、１６＜Ｖ５＜３５、
（３）０．７５＜Ｉ３／Ｉ１＜０．９５、１．０５＜Ｉ５／Ｉ１＜１．２５、１５＜Ｖ３−Ｖ１＜４０、且つ２０＜Ｖ１−Ｖ５＜４５、
（４）１．６５＜Ｉ２＜２．２、３５＜Ｖ２＜７０、Ｖ４−Ｖ５＞２０、且つＩ５−Ｉ４＜０．４、
ここでは、Ｖ１は前記第一レンズのアッベ数(ABBE)であり、Ｖ２は前記第二レンズのアッベ数であり、Ｖ３は前記第三レンズのアッベ数であり、Ｖ４は前記第四レンズのアッベ数であり、Ｖ５は前記第五レンズのアッベ数であり、Ｉ１は前記第一レンズの屈折率であり、Ｉ２は前記第二レンズの屈折率であり、Ｉ３は前記第三レンズの屈折率であり、Ｉ４は前記第四レンズの屈折率であり、Ｉ５は前記第五レンズの屈折率であることを特徴とする超小型広角レンズ。
【請求項２】
下述の条件式をさらに満たし：−３．２＜ｆ/ｆ1＜−０．７８、ここに、ｆは超小型広角レンズ全体の焦点距離であり、ｆ１は前記第一レンズの焦点距離であることを特徴とする、請求項１に記載の超小型広角レンズ。
【請求項３】
下述の条件式をさらに満たし：１＜ｆ／ｆ４＜２、ここに、ｆは超小型広角レンズ全体の焦点距離であり、ｆ４は前記第四レンズの焦点距離であることを特徴とする、請求項１に記載の超小型広角レンズ。
【請求項４】
下述の条件式をさらに満たし：ｆ１／ｆ２＜０、また、ｆ１は前記第一レンズの焦点距離であり、ｆ２は前記第二レンズの焦点距離であることを特徴とする、請求項１に記載の超小型広角レンズ。
【請求項５】
被写体をその上に結像させるための電子感光素子をさらに備え、且つ前記超小型広角レンズは下述の条件式をさらに満たし：1＜ＩｍｇＨ/ｆ＜２、ここに、ＩｍｇＨは前記電子感光素子の有効画素数領域の対角線の長さの半分であり、ｆは超小型広角レンズ全体の焦点距離であることを特徴とする、請求項１に記載の超小型広角レンズ。
【請求項６】
被写体をその上に結像させるための電子感光素子をさらに備え、且つ前記超小型広角レンズは下述の条件式をさらに満たし：ＴＴＬ／ＩｍｇＨ＜３、ここに、ＴＴＬは前記第一の物体側表面から光軸にある前記電子感光素子までの距離であり、ＩｍｇＨは前記電子感光素子の有効画素数領域の対角線の長さの半分であることを特徴とする、請求項１に記載の超小型広角レンズ。
【請求項７】
前記第二レンズと前記第三レンズとの間に設置される絞りをさらに備えることを特徴とする、請求項１に記載の超小型広角レンズ。
【請求項８】
前記第五レンズと結像面との間に設置され、複数の光雑音のフィルタリングを行う赤外線フィルターをさらに備えることを特徴とする、請求項１に記載の超小型広角レンズ。
【請求項９】
前記第一レンズ、前記第二レンズ、前記第三レンズ、前記第四レンズ、及び前記第五レンズは共にガラス材質で製造されることを特徴とする、請求項１に記載の超小型広角レンズ。
【発明の詳細な説明】
【技術分野】
【０００１】
本発明は、超小型広角レンズに関する。
【背景技術】
【０００２】
近年、電子設備は人間工学に符合させるように、軽量化、薄型化、小型化が進んでいる。このため、レンズモジュールも小型化させることでモバイル装置、車載装置、スポーツ用装置、安全監視装置等の分野の製品に応用可能にしている。さらに、レンズモジュールが小型化する趨勢にあっても、消費者はなおレンズに広い視野角(Field  of  View、  FOV)を求めており、より広い視野範囲での撮影が望まれている。
【先行技術文献】
【特許文献】
【０００３】
【特許文献１】台湾特許出願公開第Ｉ４１６１９７号明細書
【発明の概要】
【発明が解決しようとする課題】
【０００４】
しかしながら、前述した従来の技術では、即ち、レンズの視野角が９０度より大きい場合、結像に収差が生じやすく再現性が失われる。収差や再現性等の問題を克服するために、レンズには複数のレンズを採用して補完する必要があるが、これではレンズの厚さが増してしまい、小型化の要求に応えられない。よって、如何に小型化と視野角とを両立させ、さらには高い結像品質を達成させるかが、現在本分野での重要な研究課題となっている。例えば、特許文献１に示すように、レンズ中の複数のレンズの複数の焦点距離の間の関係規範のみ記載されているが、前記複数のレンズの材質及び材質同士の相関関係に対する複数の光学パラメータ、例えばアッベ数(ABBE  number)、屈折率等はなお研究が進んでいない。
【０００５】
また、従来の小型化されたレンズでは、後方焦点距離(最後のレンズから焦点平面までの距離)が短過ぎるため、レンズモジュールはCOB(Chip  On  Board)パッケージング方式により装設させねばならない。但し、COBパッケージング方式を採用すると製造コストが増加する。なお、過去の小型化されたレンズでは、内部のレンズは多くの場合においてプラスチック材質で製造されるため、光度の損耗が大きく、獲得された映像が暗くなった。
【０００６】
そこで、本発明者は上記の欠点が改善可能と考え、鋭意検討を重ねた結果、合理的設計で上記の課題を効果的に改善する本発明の提案に到った。
【０００７】
本発明は、以上の従来技術の課題を解決するためになされたものである。即ち、本発明の目的は、超小型広角レンズを提供する。
【課題を解決するための手段】
【０００８】
上述した課題を解決し、目的を達成するために、本発明に係る超小型広角レンズは、その光軸方向に沿って物体端から結像端まで順に、
負の屈折力を有する第一レンズと、正の屈折力を有する第二レンズと、
正の屈折力を有する第三レンズと、正の屈折力を有する第四レンズと、
負の屈折力を有する第五レンズとを順に備える超小型広角レンズであって、
前記超小型広角レンズは、以下の材料の条件(１)〜(４)の内の少なくとも何れか１つを満たし、
（１）０＜Ｖ１−Ｖ２＜２０、（２）１．７８＜Ｉ５＜２．２、１６＜Ｖ５＜３５、且つ前記第五レンズの物体側表面及び結像側表面はそれぞれ凹面及び凸面で（３）０．７５＜Ｉ３／Ｉ１＜０．９５、１．０５＜Ｉ５／Ｉ１＜１．２５、１５＜Ｖ３−Ｖ１＜４０、且つ２０＜Ｖ１−Ｖ５＜４５、（４）１．６５＜Ｉ２＜２．２、３５＜Ｖ２＜７０、Ｖ４−Ｖ５＞２０、且つＩ５−Ｉ４＜０．４、ここでは、Ｖ１は前記第一レンズのアッベ数（ＡＢＢＥ）であり、Ｖ２は前記第二レンズのアッベ数であり、Ｖ３は前記第三レンズのアッベ数であり、Ｖ４は前記第四レンズのアッベ数であり、Ｖ５は前記第二レンズのアッベ数であり、Ｉ１は前記第一レンズの屈折率であり、Ｉ２は前記第二レンズの屈折率であり、Ｉ３は前記第三レンズの屈折率であり、Ｉ４は前記第四レンズの屈折率であり、Ｉ５は前記第五レンズの屈折率であることを特徴とする。
【０００９】
好ましい実施態様において、超小型広角レンズは下述の条件式をさらに満たし：−３．２＜ｆ/ｆ1＜−０．７８、ここに、ｆは超小型広角レンズ全体の焦点距離であり、ｆ１は前記第一レンズの焦点距離である。
【００１０】
好ましい実施態様において、前記超小型広角レンズは下述の条件式をさらに満たし：１＜ｆ／ｆ４＜２、ここに、ｆは超小型広角レンズ全体の焦点距離であり、ｆ４は前記第四レンズの焦点距離である。
【００１１】
好ましい実施態様において、前記超小型広角レンズは下述の条件式をさらに満たし：ｆ１／ｆ２＜０、また、ｆ１は前記第一レンズの焦点距離であり、ｆ２は前記第二レンズの焦点距離である。
【００１２】
好ましい実施態様において、前記超小型広角レンズは、被写体をその上に結像させるための電子感光素子をさらに備え、且つ前記超小型広角レンズは下述の条件式をさらに満たし：1＜ＩｍｇＨ/ｆ＜２、ここに、ＩｍｇＨは前記電子感光素子の有効画素数領域の対角線の長さの半分であり、ｆは超小型広角レンズ全体の焦点距離である。
【００１３】
好ましい実施態様において、超小型広角レンズは、被写体をその上に結像させるための電子感光素子をさらに備え、且つ前記超小型広角レンズは下述の条件式をさらに満たし：ＴＴＬ／ＩｍｇＨ＜３、ここに、ＴＴＬは前記第一の物体側表面から光軸にある前記電子感光素子までの距離であり、ＩｍｇＨは前記電子感光素子の有効画素数領域の対角線の長さの半分である。
【００１４】
好ましい実施態様において、超小型広角レンズは前記第二レンズと前記第三レンズとの間に設置される絞りをさらに備える。
【００１５】
好ましい実施態様において、超小型広角レンズは前記第五レンズと結像面との間に設置され、複数の光雑音のフィルタリングを行う赤外線フィルターをさらに備える。
【００１６】
好ましい実施態様において、超小型広角レンズはＰＬＣＣ(Plastic  Leaded  Chip  Carrier)パッケージング方式により装設される。
【００１７】
好ましい実施態様において、前記第一レンズ、前記第二レンズ、前記第三レンズ、前記第四レンズ、及び前記第五レンズは共にガラス材質で製造される。
【発明の効果】
【００１８】
本発明によれば、各レンズの焦点距離間の相互関係及び各レンズの材料の光学パラメータ間の相互関係を標準化することで、レンズが体積が小さくても視野角が広く保たれ、高い結像品質及び製造コストが低いという長所を兼ね備える。
【図面の簡単な説明】
【００１９】
【図１】本発明の一実施形態に係る超小型広角レンズの構成を示す概念図である。
【図２】本発明の一実施形態に係る超小型広角レンズ１の光学データ表を示す。
【図３】図２に示す光学データ表により得られた変調伝達関数（MTF）の曲線図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２１】
以下、本発明の具体的な実施形態について添付図面に基づき説明する。図１は本発明の好ましい実施態様に係る超小型広角レンズの構成を示す概念図である。超小型広角レンズ１は光軸１９の方向に沿って物体端(被写体端)から結像端まで順に、第一レンズ１１と、第二レンズ１２と、絞り１６と、第三レンズ１３と、第四レンズ１４と、第五レンズ１５とを備える。超小型広角レンズ１が被写体(図示せず)の撮影を行う場合、光線が第一レンズ１１、第二レンズ１２、絞り１６、第三レンズ１３、第四レンズ１４、及び第五レンズ１５を経由した後に結像面１０に投射される。本実施態様では、超小型広角レンズ１は電子感光素子１８及び赤外線フィルター１７をさらに備え、電子感光素子１８は結像面１０の箇所に設置され、前記被写体をその上に結像させるために使用される。赤外線フィルター１７は第五レンズ１５と結像面１０との間に設置され、不要な光雑音のフィルタリングに用いられ、光学性能を向上させる。
【００２２】
また、第一レンズ１１は負の屈折力を有し、その物体側表面Ｓ１は凸面であり、且つ結像側表面Ｓ２は凹面である新月型レンズであり、超小型広角レンズ１の視野角を広げる。また、第二レンズ１２は正の屈折力を有し、その物体側表面Ｓ３は凹面であり、且つ結像側表面Ｓ４は凸面のレンズであり、第一レンズ１１を透過した光線が発生させる収差の校正に用いられ、光線を集束させて絞り１６に伝送させ、絞り１６により受光した光線の収差の対称及び平衡の調整が行われる。なお、第三レンズ１３は正の屈折力を有し、その物体側表面Ｓ５は平面であり、且つ結像側表面Ｓ６は凸面のレンズであり、絞り１６を透過した光線を集束させると共に第四レンズ１４に伝送させる。さらに、第四レンズ１４は正の屈折力を有し、その物体側表面Ｓ７及び結像側表面Ｓ８は共に凸面のレンズであり、第三レンズ１３を透過した光線を集束させると共に第五レンズ１５に伝送させる。第五レンズ１５は負の屈折力を有し、その物体側表面Ｓ９は凹面であり、且つ結像側表面Ｓ１０は凸面の反新月型レンズであり、第四レンズ１４を透過した光線が発生させる収差の校正に用いられ、光線の調整を行って電子感光素子１８に伝送させる。
【００２３】
更に、超小型広角レンズ１は下述の焦点距離の条件を満たす：−３．２＜ｆ／ｆ１＜−０．７８。ｆは超小型広角レンズ全体１の焦点距離であり、ｆ１は第一レンズ１１の焦点距離である。経験的に言えば、このような設計により超小型広角レンズ１の視野角が広がり、第一レンズ１１の製造も容易になる。また、超小型広角レンズ１は下述の焦点距離の条件をさらに満たす：1＜ｆ/ｆ4＜２。ｆ４は第四レンズ１４の焦点距離であり、経験から言えば、この設計により超小型広角レンズ１の総収差を平衡化させ、且つ第四レンズ１４の製造が容易になる。なお、超小型広角レンズ１は下述の焦点距離の条件をさらに満たす：1＜ＩｍｇＨ/ｆ＜２。ＩｍｇＨは電子感光素子１８の有効画素数領域の対角線の長さの半分であり、ソフトウェアシミュレーションの結果では、この設計により超小型広角レンズ１の視野角が広がる。なお、超小型広角レンズ１は下述の焦点距離の条件をさらに満たす：ＴＴＬ／ＩｍｇＨ＜３。ＴＴＬは第一レンズ１１の物体側表面Ｓ１から光軸にある電子感光素子１８までの距離であり、ソフトウェアシミュレーションの結果によれば、このような設計により超小型広角レンズ１の体積を縮小できる。さらに、超小型広角レンズ１は下述の焦点距離の条件をさらに満たす：ｆ１／ｆ２＜０。ｆ２は第二レンズ１２の焦点距離であり、このような設計は、第一レンズ１１の焦点距離と第二片レンズの焦点距離との正負を反対にすることを目的とし、ソフトウェアシミュレーションの結果によれば、これにより超小型広角レンズ１の総収差を減少させる。
【００２４】
さらに、超小型広角レンズ１は下述の材料の条件を満たす：０＜Ｖ１−Ｖ２＜２０。Ｖ１は第一レンズ１１のアッベ数(ABBE)であり、Ｖ２は第二レンズ１２のアッベ数であり、ソフトウェアシミュレーションの結果によれば、この設計により超小型広角レンズ１の総色収差を減少可能である。また、超小型広角レンズ１は下述の材料の条件をさらに満たす：1.78＜Ｉ5＜２．２。Ｉ５は第五レンズ１５の屈折率であり、ソフトウェアシミュレーションの結果に従うと、このような設計により超小型広角レンズ１の体積が微小であっても、超小型広角レンズ１の総収差を減少させることができ、且つ超小型広角レンズ１が好ましいフォーカス能力を保有する。なお、超小型広角レンズ１は下述の材料の条件をさらに満たす：１６＜Ｖ５＜３５。Ｖ５は第五レンズ１５のアッベ数であり、ソフトウェアシミュレーションの結果によると、この設計により超小型広角レンズ１の体積が非常に小さくとも小超小型広角レンズ１の総色収差を減少させることができる。
【００２５】
続いて、超小型広角レンズ１は下述の材料の条件をさらに満たす：０．７５＜Ｉ３／Ｉ１＜０．９５。Ｉ１は第一レンズ１１の屈折率であり、Ｉ３は第三レンズ１３の屈折率であり、ソフトウェアシミュレーションの結果に基づくと、このような設計により超小型広角レンズ１の総収差を減少させ、且つ超小型広角レンズ１中の各レンズの収差を相相互補完させる。また、超小型広角レンズ１は下述の材料の条件をさらに満たす：１．０５＜Ｉ５／Ｉ１＜１．２５。ソフトウェアシミュレーションの結果では、この設計により超小型広角レンズ１の総収差を減少させ、且つ超小型広角レンズ１中の各レンズの収差を相互補完させることが可能である。また、超小型広角レンズ１は下述の材料の条件をさらに満たす：１５＜Ｖ３−Ｖ１＜４０。Ｖ１は第一レンズ１１のアッベ数であり、Ｖ３は第三レンズ１３のアッベ数であり、ソフトウェアシミュレーションの結果によれば、この設計により超小型広角レンズ１の総色収差を減少させ、且つ超小型広角レンズ１中の各レンズの色収差の相互補完が可能になる。なお、超小型広角レンズ１は下述の材料の条件をさらに満たす：２０＜Ｖ１−Ｖ５＜４５。
【００２６】
続いて、超小型広角レンズ１は下述の材料の条件をさらに満たす：１．６５＜Ｉ２＜２．２。Ｉ２は第二レンズ１２の屈折率であり、ソフトウェアシミュレーションの結果によれば、この設計により超小型広角レンズ１の体積が非常に小さくとも、超小型広角レンズ１の総収差を減少させ、さらに超小型広角レンズ１が好ましいフォーカス能力を有することが可能である。なお、超小型広角レンズ１は下述の材料の条件をさらに満たす：３５＜Ｖ２＜７０。Ｖ２は第二レンズ１２のアッベ数であり、ソフトウェアシミュレーションの結果によると、この設計により超小型広角レンズ１の体積が極小さくても、超小型広角レンズ１の総色収差を減少させることができる。また、超小型広角レンズ１は下述の材料の条件をさらに満たす：Ｖ４−Ｖ５＞２０。Ｖ４は第四レンズ１４のアッベ数であり、Ｖ５は第五レンズ１５のアッベ数であり、ソフトウェアシミュレーションの結果では、このような設計により超小型広角レンズ１の総色収差を減少させ、且つ超小型広角レンズ１中の各レンズの色収差を相互補完可能になる。なお、超小型広角レンズ１は下述の材料の条件をさらに満たす：Ｉ５−Ｉ４＜０．４。Ｉ４は第四レンズ１４の屈折率であり、Ｉ５は第五レンズ１５の屈折率であり、ソフトウェアシミュレーションの結果に従うと、この設計により超小型広角レンズ１の総収差を減少させ、且つ超小型広角レンズ１中の各レンズの収差も相互補完できる。
【００２７】
ちなみに、上述のソフトウェアシミュレーションの方式は本技術分野に習熟する者ならば、例えば、超小型広角レンズの総収差を主光線及び辺縁光線の特定の各パラメータに基づいて(位置、角度、或いは屈折率等)整合させて計算を行いシミュレーション結果を獲得することができ、よってここでは詳述しない。
【００２８】
図２は本発明の好ましい実施形態に係る超小型広角レンズ１の光学データ表を示す。本実施形態では、超小型広角レンズ全体１の焦点距離ｆ＝２．０７ｍｍであり、且つ第一レンズ１１の焦点距離ｆ１＝−２．４７ｍｍであり、故に二者の関係式は：ｆ／ｆ１＝−０．８４となる。また、第四レンズ１４の焦点距離ｆ４＝１．５９ｍｍであり、従って超小型広角レンズ全体１の焦点距離ｆ及び第四レンズ１４の焦点距離ｆ４の関係式は：ｆ／ｆ４＝１．３である。
【００２９】
さらに、本実施形態では、電子感光素子１８の有効画素数領域の対角線の長さの半分ＩｍｇＨ＝２．８４ｍｍであり、よって超小型広角レンズ全体１の焦点距離ｆ及び電子感光素子１８の有効画素数領域の対角線の長さの半分ＩｍｇＨの関係式は：ＩｍｇＨ／ｆ＝１．３７である。また、第一レンズ１１の物体側表面Ｓ１から光軸１９にある電子感光素子１８までの距離ＴＴＬ＝７．４９ｍｍであり、故に第一レンズ１１の物体側表面Ｓ１から光軸１９にある電子感光素子１８までの距離ＴＴＬ及び電子感光素子１８の有効画素数領域の対角線の長さの半分ＩｍｇＨの関係式は：ＴＴＬ／ＩｍｇＨ＝２．６４である。なお、第二レンズ１２の焦点距離ｆ２＝１１．５ｍｍであり、第一レンズ１１の焦点距離ｆ１及び第二レンズ１２の焦点距離ｆ２の関係式は：ｆ１／ｆ２＝−０．２１である。
【００３０】
なお、本実施形態では、第一レンズ１１のアッベ数Ｖ１＝５４．７であり、第二レンズ１２のアッベ数Ｖ２＝４０．８であり、故に二者の関係式は：Ｖ１−Ｖ２＝１３．９である。
【００３１】
また、本実施形態では、第一レンズ１１の屈折率Ｉ１＝１．７３であり、第三レンズ１３の屈折率Ｉ３＝１．４９であり、故に二者の関係式は：Ｉ３／Ｉ１＝０．８６である。なお、第五レンズ１５の屈折率Ｉ５＝１．８５であり、よって第五レンズ１５の屈折率Ｉ５及び第一レンズ１１の屈折率Ｉ１の関係式は：Ｉ５／Ｉ１＝１．０７である。なお、第三レンズ１３のアッベ数Ｖ３＝７０．２であり、よって第三レンズ１３のアッベ数Ｖ３及び第一レンズ１１のアッベ数Ｖ１の関係式は：Ｖ３−Ｖ１＝１５．５である。さらに、第五レンズ１５のアッベ数Ｖ５＝２３．７であり、故に第一レンズ１１のアッベ数Ｖ１及び第五レンズ１５のアッベ数Ｖ５の関係式は：Ｖ１−Ｖ５＝３１である。
【００３２】
続いて、本実施形態では、第二レンズ１２の屈折率Ｉ２＝１．８８であり、第二レンズ１２のアッベ数Ｖ２＝４０．８である。なお、第四レンズ１４のアッベ数Ｖ４＝５４．７であり、第五レンズ１５のアッベ数Ｖ５＝２３．７であり、従って第四レンズ１４のアッベ数Ｖ４及び第五レンズ１５のアッベ数Ｖ５の関係式は：Ｖ４−Ｖ５＝３１である。また、第四レンズ１４の屈折率Ｉ４＝１．７３であり、故に第五レンズ１５の屈折率Ｉ５及び第四レンズ１４の屈折率Ｉ４の関係式は：Ｉ５−Ｉ４＝０．１２である。
【００３３】
図３は図２に示す光学データ表により得られた変調伝達関数（MTF）の曲線図である。図３の縦軸座標は光学伝達関数値を表し、超小型広角レンズの解像力を示す、即ち、超小型広角レンズが被写体の質感を如実に再現する能力を表し、業界では結像品質に関する重要な指標である。また、図３の横軸座標は空間周波数を表し、即ち、単位長さ内に含まれる色度の縞の数を表す。なお、図中の接線成分Ｔ(tangential)は超小型広角レンズの接線(即ち、線の方向は電子感光素子の中心と同心円に接する方向)に対する解像力を表し、図中の動径成分Ｓ(sagittal)は超小型広角レンズの動径線(即ち、線の方向は電子感光素子の中心から外に向かう方向に沿う)に対する解像力を表す。図３は角度がそれぞれ０度(degree)、２４度(degree)、４０度(degree)、５６度(degree)、７２度(degree)、及び８０度(degree)の場合の接線成分Ｔ及び動径成分Ｓの異なる空間周波数での光学伝達関数値を表示する。
【００３４】
図中から分かるように、本発明に係る超小型広角レンズは小型化及び広い視野角という長所以外にも、極めて好ましい結像品質をさらに有し、光学伝達関数曲線図を如何に判読するかは、本技術分野に習熟する者にとっては既知のものであり、よって詳述は省く。
【００３５】
このほか、本発明に係る超小型広角レンズ１の、第一レンズ１１〜第五レンズ１５の内の何れか１つのレンズはガラス材質で製造されるか、プラスチック材質で製造される。好ましくは、制限するわけではないが、第一レンズ１１〜第五レンズ１５は共にガラス材質で製造され、これにより超小型広角レンズ１の光度の損耗を低下させ、獲得された映像が明瞭になり、且つ解析度も１３Ｍから１８Ｍまで向上する。
【００３６】
ちなみに、本発明に係る超小型広角レンズ１の後方焦点距離(即ち、第五レンズ１５から結像面１０までの距離)が十分あり、よってＬＣＣ(  Leadless  Chip  Carrier)パッケージング方式により装設するのみで、例えばCＬＣＣ(Ceramic  Leadless  Chip  Carrier)パッケージングやPＬＣＣ(Plastic  Leadless  Chip  Carrier)パッケージング等により装設することで、レンズの製造コストを削減可能である。
【００３７】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００３８】
１  超小型広角レンズ
１０  結像面
１１  第一レンズ
１２  第二レンズ
１３  第三レンズ
１４  第四レンズ
１５  第五レンズ
１６  絞り
１７  赤外線フィルター
１８  電子感光素子
１９  光軸
Ｓ１  第一レンズの物体側表面
Ｓ２  第一レンズの結像側表面
Ｓ３  第二レンズの物体側表面
Ｓ４  第二レンズの結像側表面
Ｓ５  第三レンズの物体側表面
Ｓ６  第三レンズの結像側表面
Ｓ７  第四レンズの物体側表面
Ｓ８  第四レンズの結像側表面
Ｓ９  第五レンズの物体側表面
Ｓ１０  第五レンズの結像側表面
Ｓ１１  赤外線フィルターの表面
Ｓ１２  赤外線フィルターの表面
ｆ  超小型広角レンズ全体の焦点距離
ｆ１  第一レンズの焦点距離
ｆ２  第二レンズの焦点距離
ｆ４  第四レンズの焦点距離
Ｉ１  第一レンズの屈折率
Ｉ２  第二レンズの屈折率
Ｉ３  第三レンズの屈折率
Ｉ４  第四レンズの屈折率
Ｉ５  第五レンズの屈折率
Ｖ１  第一レンズのアッベ数
Ｖ２  第二レンズのアッベ数
Ｖ３  第三レンズのアッベ数
Ｖ４  第四レンズのアッベ数
Ｖ５  第五レンズのアッベ数
Ｔ  接線成分
Ｓ  動径成分
ＩｍｇＨ  電子感光素子の有効画素数領域の対角線の長さの半分
ＴＴＬ  第一レンズの物体側表面から光軸にある電子感光素子までの距離
【図１】
0006055873.tif 000002
【図２】
0006055873.tif 000003
【図３】
0006055873.tif 000004